(57)【要約】【課題】  本発明は、フィルタ装置に付着した粉じんを除じんする駆動モーター付除じん装置を有する集じん機であって、除じん装置の除じん効率を向上させ、作業性向上をはかることである。【解決手段】  フィルタ装置の内側から外側に向かって空気の流れを発生させるフィルタ装置清掃手段を設けることによって達成され、好ましくはフィルタ装置の内側で回転する除じん部材を有し、フィルタ装置を振動させることで除じんを行う除じん装置の下部に羽根部を設けることにより達成される。【選択図】  図２
2010051750.tif 000002
【特許請求の範囲】
【請求項１】
モータと、
該モータの駆動により回転する集じんファンをヘッド部に収納し、
前記集じんファンの回転により吸引された粉じん等を搬送するダクトホースと搬送した粉じん等をためるタンクを前記ヘッド部の下方に配置し、
該タンクに前記ダクトホースを着脱する吸込口を有し、
前記タンク内部には吸引した粉じんをろ過するフィルタ装置を設けた集じん機において、
前記集じんファンによる吸引のための空気流と逆方向の空気流を発生させるフィルタ装置清掃手段が設けられていることを特徴とする集じん機。
【請求項２】
前記フィルタ装置清掃手段はフィルタ装置の内側で回転する羽根部であることを特徴とした請求項１記載の集じん機。
【請求項３】
前記集じん機には、フィルタ装置の内側で回転する除じん部材を有し、フィルタ装置を振動させることで除じんを行う除じん装置が設けられ、前記フィルタ装置清掃手段は前記除じん装置に設けられていることを特徴とする請求項１若しくは請求項２記載の集じん機。
【請求項４】
前記羽根部は前記除じん部材の下方に延びていることを特徴とする請求項３記載の集じん機。
【請求項５】
前記羽根部は前記フィルタ装置の底部付近まで伸びていることを特徴とする請求項２から請求項４の何れかに記載の集じん機。
【請求項６】
前記羽根部は集じん機の上方から見てU字型に湾曲した板形状であることを特徴とする請求項２から請求項５の何れかに記載の集じん機。
【請求項７】
前記羽根部はフラットな板形状であることを特徴とした請求項２から請求項５の何れかに記載の集じん機。
【発明の詳細な説明】
【技術分野】
【０００１】
本発明は、吸引風をろ過するフィルタ装置に付着した粉じんを除じんする除じん装置に関するものである。
【背景技術】
【０００２】
集じん機は、主に床面を掃除したり、電動工具などから排出される切削粉じんを集じんする用途で使用されるものである。このような集じん機は、一般的に電動機と電動機に直結された集じんファン及びフィルタ装置を内装すると共に、ファンが回転することによりタンク側面に設けられたホース取付用の吸込口から集じん作業により吸い込まれた粉じんを含む空気は、集じん機に内装されたフィルタ装置を通過しようとする。粉じんはフィルタ装置で捕集され、付着し、空気はフィルタ装置を通過することにより分離される。
【０００３】
しかしながら上述のような集じん機で集じん作業を続けると、フィルタ装置の表面に粉じんが層状に形成され、目詰まり状態となるため、作業効率の低下を招くおそれがあった。
【０００４】
そのため、特許文献１のように、円筒形状に形成されたフィルタ装置の内側部に除じん子を配設し、プリーツ状のフィルタ装置の山部を連続してはじくことで振動を与え、フィルタ外面に付着した粉じんを払い落とすことができるようにした除じん装置などが考えられている。
【０００５】
このような除じん装置を備えた集じん機を図１０、図１１を用いて説明する。集じん機は、モータ１９とモータ１９に直結された集じんファン２及びモータ１９の起動・停止を行うスイッチ３をヘッド部７に配置する。ヘッド部７はモータ１９と集じんファン２の形状により上方から見てほぼ円形状としている。円形状をしたヘッド部７の下部に吸引した粉じん等５をためる底面を有したタンク６を配置し、粉じん等５を搬送するダクトホース４を着脱する吸込口１４がタンク６の適所に設けてある。さらにタンク６内部のほぼ中央部にはヘッド部７に固着された吸引した粉じん５をろ過する断面蛇腹によるほぼ円形状のフィルタ装置８を設け、フィルタ装置８の内部には除じん装置１０が除じんホルダ９により保持され、除じんホルダ９はヘッド部７に固着されている。フィルタ装置８は、フィルタ濾布８ｂを上下樹脂部材により支持された構成となっており、図１１の如く、下方樹脂部材８ａは円形状をしている。除じん装置１０は駆動モータ１１と駆動モータ１１を減速する減速機１２を有し、減速機１２から突出した出力軸１３の先端の除じん部材１５が回転することで前記フィルタ装置８のフィルタ濾布８ｂが振動するよう構成されている。除じん装置１０は駆動モータ１１の下部に連結させた減速機１２ごと除じんホルダ９に固着している。減速機１２から下方に突出させた出力軸１３を設け、出力軸１３先端に除じん部材１５を固着している。除じん部材１５はヘッド部７に設けた図示しない除じんスイッチを押すことにより、駆動モータ１１が駆動し減速機１２を介して、除じん部材１５が回転する。
【０００６】
上記構成においてスイッチ３をＯＮすると、モータ１９が起動し、集じんファン２が回転し、タンク６を介してダクトホース４内に吸引力が発生する。粉じん等５は、吸引力によりダクトホース４を通過し、タンク６内に吸引され、フィルタ装置８によりろ過され、粉じん５はフィルタ装置８のフィルタ濾布８ｂ表面に付着し、空気のみフィルタ装置８の内部に侵入し、集じん機の本体外に排出される。粉じん５を継続して吸引し続けると、フィルタ装置８のフィルタ濾布８ｂ表面全体に粉じん５が付着し空気が通過しにくくなり、ダクトホース４内の吸引力が微弱になり吸引不能になる。このような場合、ヘッド部７の図示していない除じんスイッチを押すことにより、駆動モータ１１が駆動し減速機１２を介して除じん部材１５が回転し、フィルタ装置８のフィルタ濾布８ｂが振動して、フィルタ濾布８ｂ表面に付着した粉じん５が下方に脱落する。しかしながら、粉じん５はフィルタ濾布８ｂ表面から下方に脱落するため、一部の粉じん５はフィルタ装置８下面の円形状の樹脂部材８ａ上に堆積してしまい、集じん効率の低下や、メンテナンスによる作業者の負担の増加を招いていた。
【０００７】
【特許文献１】特開２０００−２３７５１９号公報
【発明の開示】
【発明が解決しようとする課題】
【０００８】
上記したように、従来、フィルタ装置の除じんに関する技術として、フィルタ装置のフィルタ濾布を振動させ、フィルタ装置のフィルタ濾布表面の粉じんが下方に脱落させる方法が考えられているものの、フィルタ装置下面の円形状の樹脂部材と断面蛇腹のフィルタ濾布の凹部間に粉じんが堆積するため、不完全な除じんとなってしまうことがあった。
【０００９】
本発明は上記事情に鑑みてなされたもので、その目的は、除じん装置の除じん効率向上をはかることである。
【課題を解決するための手段】
【００１０】
本願において開示される発明のうち、代表的なものの特徴を説明すれば、次の通りである。
【００１１】
本発明の一つの特徴によれば、モータと、モータの駆動により回転する集じんファンをヘッド部に収納し、集じんファンの回転により吸引された粉じん等を搬送するダクトホースと搬送した粉じん等をためるタンクを前記ヘッド部の下方に配置し、タンクにダクトホースを着脱する吸込口を有し、タンク内部には吸引した粉じんをろ過するフィルタ装置を設けた集じん機において、集じんファンによる吸引のための空気流と逆方向の空気流を発生させるフィルタ装置清掃手段を設けた。
【００１２】
このような構成によれば、フィルタ装置内側から外側への空気の流れにより、フィルタ表面の粉じんはフィルタ装置の外周方向に力を受けることでフィルタ装置の外周方向に飛ばされ、フィルタ装置下面の円形状の樹脂部材上では無く、タンク底に落下させることができる。フィルタ装置に付着した粉じんが除去できることにより、フィルタ装置のフィルタ濾布部全体を空気が通過しやくすなり、ダクトホース内の吸込み力が回復するとともに、吸込み力を持続させることができる。
【００１３】
上記構成の集じん機において、空気流を生じさせる手段としては、例えばフィルタ装置の内側で回転する羽根部によることが好ましい。
【００１４】
このような構成によれば、フィルタ装置に近い位置から除じんを行うための風圧を効率良く与えることが可能となる。
【００１５】
また、集じん機には、フィルタ装置の内側で回転する除じん部材を有し、フィルタ装置を振動させることで除じんを行う除じん装置が設けられ、フィルタ装置清掃手段は除じん装置に設けられていることが好ましい。
【００１６】
このような構成によれば、除じん装置に羽根部を設けることで、新たに部品を追加することなく安価にて上述の効果を得ることができる。
【００１７】
また、羽根部は前記除じん部材の下方に延びていることが好ましい。
【００１８】
このような構成によれば、除じん装置によってフィルタ濾布から落下した粉じんを、羽根部からの空気の流れによりフィルタ装置の外周方向に飛ばし、タンク底に落下させることができる。
【００１９】
また、羽根部はフィルタ装置の底部付近まで伸びていることが好ましい。
【００２０】
このような構成によれば、羽根部によって起こされる空気の流れはフィルタ濾布の下端まで十分に風圧を与えることができ、フィルタ装置下面に粉じんが溜まることを防ぐことができる。
【発明の効果】
【００２１】
本発明の集じん機によれば、フィルタ装置に付着した粉じんを効率良く除去することができる。
【発明を実施するための最良の形態】
【００２２】
本発明の一実施形態を図１〜図９により説明する。図１は本発明になる集じん機の一実施形態を示す一部断面図を含む正面図であり、図２は本発明になる集じん機の一実施形態を示すＤ線による一部断面を含む側面図、図３は図１２における除じん装置を集じん機の下部方向からみたＡ矢視図、図３はフィルタ装置の断面形状を示すためのＢ−Ｂ断面図である。
【００２３】
図１、図２において、集じん機１は、モータ３が内部に取付られている略円形状をしたヘッド部７の下部に吸引した粉じん等５をためる底面を有した同じく略円形のタンク６が配置されることにより構成され、粉じん５などを搬送するダクトホース４を着脱する吸込口１４がタンク６の正面に設けられている。ヘッド部７の、ダクトホース４の上部付近には、集じん機に内装されるモータ１９とモータ１９の起動・停止を行うスイッチ３及び後述する除じんモータ１６の起動・停止を行う押しボタンによる除じんスイッチ１６が配置されている。モータ３には、モータ３から下方向に延出する図示しないモータ軸に、集じんファン２が取り付けられており、モータ３の回転によって回転を行うよう構成されている。タンク６内部のほぼ中央部には、ヘッド部７に固着され、ダクトホース４を介して吸い込まれた空気を含んだ粉じん５をろ過する外形がほぼ円形状のフィルタ装置８が設けられている。フィルタ装置８は、内周側に同じくほぼ円形状の断面蛇腹によるフィルタ濾布８ｂを上下樹脂部材により支持する構成となっており、図４の如く、上下樹脂部材のうち下方樹脂部材８ａは円形状をしている。尚、図２においてフィルタ装置８は、フィルタ濾布８ｂを支持するためのリブの断面形状があらわれているが、フィルタ装置８の半径方向から通過する空気を通す十分な隙間が空いているものである。フィルタ装置８の内側には、ヘッド部７に取り付けられた除じんホルダ９によって保持される除じん装置１０が配置されている。除じん装置１０は除じんモータ１１と除じんモータ１１を減速する減速機１２を有し、減速機１２から突出した出力軸１３の先端には除じん部材１５が取り付けられている。除じん部材は軸線Ｄの方向でフィルタ装置８のフィルタ濾布８ｂの中心付近に位置しており、その外径側はフィルタ濾布８ｂの断面形状における山部と半径方向でオーバーラップする位置にある。除じん部材１５の下方には、除じん部材８の半径方向で、除じん部材１５の回転中心となる出力軸１３と、フィルタ装置８とオーバーラップする接触部との間の位置に羽根部１７が除じん部材１５と一体的に形成されている。羽根部１７は、図３に示すよう集じん機の上下方向からみてU字型に湾曲した形状をしており、図２の軸線Ｄを中心として左右側にそれぞれ１枚ずつ設けられ、軸線Ｄからフィルタ装置８の内周面に向かって延びている。また、羽根部１７は、除じん部材１５の下方からフィルタ装置に当たらない範囲で軸線Ｄに平行にフィルタ装置８の底部付近まで延びており、羽根部１７は除じん部材１５から下端付近まで回転半径が一定に保たれている。
【００２４】
上記構成において、作業者がスイッチ３をＯＮすると、モータ１９が起動し、集じんファン２が回転し、タンク６を介してダクトホース４内に吸引力が発生する。粉じん５は、発生した吸引力によりダクトホース４を通過し、空気と共にタンク６内に吸引される。タンク６内に吸引された粉じん５を含む空気はフィルタ装置８によりろ過され、空気のみフィルタ装置８の内部に侵入し、集じん機の本体外に排出される。粉じん５はフィルタ装置８のフィルタ濾布８ｂの表面に付着し、この粉じん５を継続して吸引し続けると、フィルタ装置８のフィルタ濾布８ｂ表面全体に粉じん５が付着し空気の通過しにくくなり、ダクトホース４内の吸引力が微弱になり吸引効率が低下する。このような場合には、ヘッド部７の除じんスイッチ１６を押すことにより、除じんモータ１１が起動し減速機１２を介して除じん部材１５が回転し、除じん部材とフィルタ濾布８ｂの山部が連続して接触と非接触を繰り返すことによりフィルタ濾布８ｂが振動し、フィルタ装置８のフィルタ濾布８ｂ表面に付着した粉じん５が下方に脱落する。さらに、除じん部材１５が回転することにより、除じん部材１５に設けられた羽根部１７も、出力軸１３を中心に図２のＡ視からみて反時計回りに回転し、集じん作業時にフィルタ装置８を通過する空気流と逆方向、すなわち内周側から外周側に空気の流れ１８を作り出す。脱落した粉じん５は落下中にフィルタ装置８の外周方向に力を受け、タンク６底に落下する。また、空気の流れ１８により、フィルタ装置８のフィルタ濾布８ｂ表面の粉じん５は吹き飛ばされ、除去される。
【００２５】
上記したように、集じん機１はフィルタ装置８の内周側から外周側に向かって空気の流れ１８を作り出すことにより、粉じん５が除去され、フィルタ装置８のフィルタ濾布８ｂ部全体を空気が通過しやくすなり、ダクトホース４内の吸込み力が回復するとともに、吸込み力を持続できるようになる。また、空気の流れ１８はフィルタ装置８の底部付近まで同径のまま延ばされた羽根部１７によって生じるものであるため、フィルタ装置８に対して、軸方向のどの位置においても近い位置から十分な風圧を与えることができ、フィルタ装置８のフィルタ濾布８ｂを上下方向から支持する下方樹脂部材８ａに粉じんが溜まることを防ぐことができ、フィルタ装置の清掃を効率よく行うことが可能となる。また、羽根部１７は粉じんを払い落とす除じん部材１５に一体的に設けられているので、新たな部品を追加することなく、除じん性能を向上させることが可能となる。また、羽根部１７は除じん部材１５の下方に位置するため、除じん部材１５によって脱落した粉じんが下方の羽根部１７により起こされる空気の流れ１８によってそのままフィルタ装置８の外周方向に飛ばされるので、効率の良い粉じんの除去が可能となる。また、羽根部１７をＵ字型に湾曲した形状で構成したため、外周方向への羽根の出口角度が半径方向より回転方向に向かって前向きに傾斜する形状となり、排出する風量を増加させることが可能となる。
【００２６】
尚、上記した実施形態では空気の流れ１８を作り出すためのフィルタ清掃手段を除じん部材１５に一体的に形成した羽根部１７としたが、本発明はこれに限定されるものではなく、除じん部材１５と別体に羽根部１７を設けた構成としても良いと共に、例えば集じんファン２の形状を工夫し、更にスイッチ３がＯＦＦの時に集じんスイッチ１６を操作することにより集じんファン２が逆回転するようにした構成であっても良く、粉じんの吸引時と逆方向の空気流を作り出すようにすれば良い。
【００２７】
また、上記実施形態では、羽根部１７をＵ字型に湾曲した形状で構成したが、これに限定されず、いものである。なお、図５，６に示す構成である場合、U字型の形状に比べ容易に成形することができるという作用効果を持つ。
【００２８】
また、図３、図５、６に示す羽根部１７の位置は除じん部材１５の下方であることが好ましいが、羽根部１７の空気の流れ１８自体がフィルタ濾布８ｂに付着した粉じんを落とす効果を有していれば、これに限定されず、図７のように、羽根部１７を除じん部材１５の上下方向に伸延した羽根部としても良いものである。
【００２９】
また、図８、図９に示すように羽根部１７を除じん部材１５の一部に設けても良く、これによれば、除じん部材とフィルタ装置８とが接触する高さまで羽根部７とすることができ、集じん機の上下方向に幅広い送風を行うことができるという作用効果を奏しえることができるものである。
【００３０】
また、駆動モータ１１が駆動し減速機１２を介して駆動するようにしたが、除じん装置１０に減速機１２を設けず、直接除じんモータ１１から突出させた出力軸１３を設け、出力軸１３先端に除じん部材１５を固着しても良い。
【図面の簡単な説明】
【００３１】
【図１】本発明になる集じん機の一実施形態を示す一部断面を含む正面図である。
【図２】本発明になる集じん機の一実施形態を示す一部断面を含む側面図である。
【図３】図１のA矢視図である。
【図４】図１のB-B断面図である。
【図５】図１のA矢視図に対応した別の実施形態を示す図である。
【図６】図１のA矢視図に対応した別の実施形態を示す図である。
【図７】本発明になる集じん機の別の一実施形態を示す一部断面を含む側面図である。
【図８】本発明になる集じん機の別の一実施形態を示す一部断面を含む部分拡大図である。
【図９】図８の底面図である。
【図１０】従来技術となる一部断面を含む側面図である。
【図１１】図１０のC-C断面図である。
【符号の説明】
【００３２】
１  集じん機    ２  集じんファン    ３  スイッチ    ４  ダクトホース    ５  粉じん    ６  タンク    ７  ヘッド部    ８  フィルタ装置    ８ａ  樹脂部材    ８ｂ  フィルタ濾布    ９  除じんホルダ    １０  除じん装置    １１  除じんモータ    １２  減速機    １３  出力軸    １４  吸込口    １５  除じん部材    １６  除じんスイッチ    １７  羽根部    １８  空気流    １９  集じんモータ
【図１】
2010051750.tif 000003
【図２】
2010051750.tif 000004
【図３】
2010051750.tif 000005
【図４】
2010051750.tif 000006
【図５】
2010051750.tif 000007
【図６】
2010051750.tif 000008
【図７】
2010051750.tif 000009
【図８】
2010051750.tif 000010
【図９】
2010051750.tif 000011
【図１０】
2010051750.tif 000012
【図１１】
2010051750.tif 000013